(57)【要約】【課題】  安価に製造することができ、かつ振動や衝撃等に対する位置保持能力が強い光学シート、並びに、それを搭載したバックライトユニット及び液晶表示装置を提供する。【解決手段】  外縁の一部に突起部を有する光学シートであって、上記突起部は、少なくとも１つが鉤形状、すなわち、Ｔ字形状、逆Ｌ字形状、Ｆ字形状、十字形状若しくはこれらを多少変形させた形状、又は、これらを組み合わせた形状等に構成されたものである光学シートである。【選択図】    図１
2006004751.tif 000002
【特許請求の範囲】
【請求項１】
外縁の一部に突起部を有する光学シートであって、
該突起部は、少なくとも1つが鉤形状に構成されたものである
ことを特徴とする光学シート。
【請求項２】
前記鉤形状の突起部は、Ｔ字形状であることを特徴とする請求項１記載の光学シート。
【請求項３】
前記光学シートは、位置決め用の穴を有しないことを特徴とする請求項１又は２記載の光学シート。
【請求項４】
請求項１〜３のいずれかに記載の光学シートを備えてなるバックライトユニットであって、
前記光学シートは、拡散シート、プリズムシート、偏光選択性反射透過シート、又は、電磁波遮蔽シートである
ことを特徴とするバックライトユニット。
【請求項５】
請求項１〜３のいずれかに記載の光学シートを備えてなるフラットパネル型表示装置であって、
前記光学シートは、拡散シート、プリズムシート、偏光選択性反射透過シート、又は、電磁波遮蔽シートである
ことを特徴とするフラットパネル型表示装置。
【請求項６】
請求項１〜３のいずれかに記載の光学シートを備えてなるバックライトユニットであって、
該光学シートは、突起部が嵌合することで位置決めされている
ことを特徴とするバックライトユニット。
【請求項７】
請求項１〜３のいずれかに記載の光学シートを備えてなるフラットパネル型表示装置であって、
該光学シートは、突起部が嵌合することで位置決めされている
ことを特徴とするフラットパネル型表示装置。
【請求項８】
前記フラットパネル型表示装置は、液晶表示装置であることを特徴とする請求項５又は７記載のフラットパネル型表示装置。
【発明の詳細な説明】
【技術分野】
【０００１】
本発明は、光学シート、バックライトユニット及びフラットパネル型表示装置に関する。より詳しくは、液晶表示装置等のフラットパネル型表示装置におけるバックライトユニットの構成部材として好適に用いられる光学シート、バックライトユニット及びフラットパネル型表示装置に関するものである。
【背景技術】
【０００２】
フラットパネル型表示装置としては、液晶表示装置、プラズマディスプレイ装置、エレクトロルミネセンスディスプレイ装置等がよく知られている。中でも、液晶表示装置がその代表格として広く普及しており、例えば、携帯情報端末、ノート型パーソナルコンピュータ、デスクトップ型パーソナルコンピュータのディスプレイ等として用いられている。液晶表示装置の装置構成としては、液晶表示パネルの背面にバックライトを備えた形態が広く知られている。このような形態の液晶表示装置では、通常では、バックライトからの出射光の光学特性を制御する等の目的で、各種光学シートが液晶表示パネルとバックライトとの間等に配置されている。
【０００３】
近年、液晶表示装置を搭載する電子機器の小型軽量化の動向に伴い、液晶表示装置及びそれに用いられるバックライトユニットにはより一層の小型化が必要とされている。また、液晶表示装置の低価格化に対するユーザーからの要望は多く、いかにコストを下げるかという検討も必要となっている。このため、光学シートにおいても、液晶表示装置の小型化や低コスト化に対応したものが求められている。
【０００４】
光学シートを液晶表示装置内（バックライトユニット内）に固定する方法、すなわち光学シートの位置決め方法に関しては、例えば、図４に示すように、光学シート１３の外形に凸部１４を設け、それに位置決め穴１６を設けて行う方法が知られている（例えば、特許文献１〜３参照。）。例えば、特許文献１には、導光板及び光学シートを有するバックライトユニットを備え、導光板が光学シートと係合し、導光板に対して光学シートを位置決めするための位置決め部を備えている液晶表示装置の構成が開示されており、位置決め部が、導光板から突出した位置決め突起を有し、光学シートが、位置決め突起が係合した位置決め孔を有している形態等が開示されている。しかしながら、これらの液晶表示装置の構成によれば、光学シートは位置決め孔のみで位置決めされており、振動や衝撃等に対する位置保持能力を向上させるという点において工夫の余地があった。
【０００５】
これに対して、光学シートの位置ずれの低減に関し、互いに対向する一方の辺に設けられた第１固定部、及び、他方の辺に設けられた第２固定部を有する光学シートと、第２固定部と係合し、第２固定部を、第１及び第２固定部を通る所定方向に沿って変位可能に位置決めした位置決め部を備えているフレームとを有する液晶表示装置の構成が開示されている（例えば、特許文献４参照。）。この液晶表示装置の構成によれば、第２固定部（凸部）に長孔（位置決め穴）を設けることに加え、更なる保持能力の拡大、すなわち表示方向（Ｚ軸方向）の保持能力を強くするために、その凸部が保持板で上から押さえられている。しかしながら、このような光学シートの位置決め方法においても、シートの面方向に対する位置保持能力が充分でなく、また部品点数の増加等でコストアップにつながっていたため、光学シートの位置ずれや製造コストを低減するという点において工夫の余地があった。
【０００６】
また、位置決め穴を用いない光学シートの位置決め方法も知られている（例えば、特許文献５、６参照。）。例えば、特許文献５には、筐体の側壁に光学シートを位置決め及び保持するための嵌合穴が形成され、上記光学シートのうち少なくとも上記筐体と隣接する光学シートに嵌合凸部が設けられ、上記嵌合凸部が上記嵌合穴に嵌合されてなるバックライト装置の構成が開示されている。しかしながら、これらの光学シートの位置決め方法においても、単に略四角形状の突起部分で光学シートを保持することとなるため、シートの位置保持能力を向上させるという点において工夫の余地があった。
【特許文献１】特開平１１−８４３５１号公報（第１、２、５頁、第１図）
【特許文献２】特開２００２−１９６３１２号公報（第１頁）
【特許文献３】特開平９−１３８４０５号公報（第１頁）
【特許文献４】特開２００１−９１９４７号公報（第１−４、６頁、第１図）
【特許文献５】特開２０００−１９５１２号公報（第１、２、５頁、第１図）
【特許文献６】特開２００３−３５８９９号公報（第１頁）
【発明の開示】
【発明が解決しようとする課題】
【０００７】
本発明は、上記現状に鑑みてなされたものであり、安価に製造することができ、かつ位置保持能力が強い光学シート、並びに、それを搭載したバックライトユニット及びフラットパネル型表示装置を提供することを目的とするものである。
【課題を解決するための手段】
【０００８】
本発明者らは、液晶表示装置等のフラットパネル型表示装置や、それに用いられるバックライトユニットに搭載される光学シートの位置決め方法について種々検討したところ、鉤形状の突起部を光学シートの外縁の一部に設ける構成にすることで、安価に製造することができ、かつ光学シートの位置保持能力が強くなることを見いだした。すなわち、従来では、光学シートの突起部の形状は、略四角形状が一般的であったため（例えば、図４参照。）、各Ｘ、Ｙ軸（シート面に平行でかつ互いに垂直な二軸）の双方向に対する位置決めを充分に行うことができず、光学シートの位置保持能力は充分ではなかったが、本発明のように、光学シートの突起部の形状を鉤形状にすることにより（例えば、図１参照。）、安価に製造することが可能であるとともに、各Ｘ、Ｙ軸の双方向に対する位置決めを充分に行うことが可能となるため、光学シートの位置保持能力が向上されることを見出し、上記課題をみごとに解決することができることに想到し、本発明に到達したものである。
【０００９】
すなわち、本発明は、外縁の一部に突起部を有する光学シートであって、上記突起部は、少なくとも１つが鉤形状に構成されたものである光学シートである。
以下に本発明を詳述する。
【００１０】
本発明の光学シートは、外縁の一部に突起部を有するものである。本発明において、光学シートとは、光を透過することができるものであれば特に限定されるものではなく、例えば、入射光の光学特性を制御する機能を有するシート、電磁波等を遮蔽する機能を有するシート等が挙げられる。また、本発明の光学シートは、シート状であれば、その平面形状、大きさ、厚さ、材質等は、特に限定されるものではなく、光学フィルムと一般的に呼ばれるものも含むものである。突起部の配置形態としては、光学シートの外縁の一部に１つ配置されてもよいし、複数配置されてもよいが、複数配置される形態が好ましい。突起部が複数配置される場合には、光学シートの外縁を構成する辺のうち、対向する辺にそれぞれ配置されることが好ましい。
【００１１】
上記突起部は、少なくとも１つが鉤形状に構成されたものである。本発明において、鉤形状に構成された突起部とは、屈曲部又は枝分かれ部を少なくとも１つ有する形状の突起部を意味し、例えば、Ｔ字形状、逆Ｌ字形状、Ｆ字形状、十字形状、これらをいくらか変形させた形状、又は、これらを組み合わせた形状等に構成されたものが挙げられる。本発明においては、鉤形状に構成された突起部を少なくとも１つ有することから、シート面に対して平行方向の位置決めを充分に行うことが可能となり、振動や衝撃等に対して強い位置保持能力を得ることができる。なお、本発明においては、光学シートに鉤形状以外の形状に構成された突起部が設けられていてもよい。鉤形状に構成された突起部、及び、鉤形状以外の形状に構成された突起部の大きさ等は、特に限定されるものではなく、また、これらの突起部には、穴や、シート面垂直方向の突起等を設けてもよい。
このような構成からなる本発明の光学シートは、例えば、液晶表示装置等のフラットパネル型表示装置の構成部材等として好適に用いることができるものである。
【００１２】
以下、本発明の光学シートの好ましい形態について詳細に説明する。
上記鉤形状の突起部は、Ｔ字形状であることが好ましい。これにより、シートの面方向（シート面に平行でかつ互いに垂直な二軸方向）に対して、光学シートの位置決めをより充分に行うことができるため、シートの位置保持能力をより向上させることができる。なお、Ｔ字形状としては、実質的にＴ字形状と評価し得る形状であればよく、例えば、非対称なＴ字形状、Ｙ字形状、上向き矢印（↑）形状等も含むものとする。
【００１３】
上記光学シートは、位置決め用の穴を有しないことが好ましい。これにより、光学シートに位置決め用の穴を設ける必要のない分、光学シートの位置決めのための加工にかかるコストを削減することができるとともに、位置決めの際に位置決め用の穴に突起等を挿通する必要のない分、容易に位置決めを行うことができる。
【００１４】
本発明はまた、上記光学シートを備えてなるバックライトユニットであって、上記光学シートは、拡散シート、プリズムシート、偏光選択性反射透過シート、又は、電磁波遮蔽シートでもある。本発明は更に、上記光学シートを備えてなるフラットパネル型表示装置であって、上記光学シートは、拡散シート、プリズムシート、偏光選択性反射透過シート、又は、電磁波遮蔽シートでもある。本発明において、フラットパネル型表示装置としては、平板形状に構成された表示装置であれば特に限定されず、例えば、液晶表示装置、プラズマディスプレイ装置、エレクトロルミネセンスディスプレイ装置等が挙げられ、中でも、液晶表示装置が好適である。なお、本発明のバックライトユニットやフラットパネル型表示装置に用いられる光学シートは、上述したような各種光学シートを任意に組み合わせて一体化したものであってもよい。このようなバックライトユニットやフラットパネル型表示装置によれば、本発明の光学シートにより、バックライトからの面状出射光の光学特性を制御したり、電磁波等から液晶表示パネル等のフラットパネルを保護したりすることができるので、液晶表示装置等のフラットパネル型表示装置における表示特性を良好に保つことができる。
拡散シートの材質としては、例えば、プラスチックビーズが散布された樹脂等が挙げられる。プリズムシートとしては、例えば、マイクロレンズアレイ等が挙げられ、マイクロレンズアレイの材質としては、例えば、アクリル系樹脂、エポキシ系樹脂等が挙げられる。偏光選択性反射透過シートとしては、例えば、ポリビニルアルコールにヨウ素を含有させ、これを一軸延伸したもの等が挙げられる。電磁波遮蔽シートとしては、例えば、ＩＴＯ（Ｉｎｄｉｕｍ  Ｔｉｎ  Ｏｘｉｄｅ；酸化インジウム錫）等の導電材料を表面に付着させたガラスシート等が挙げられる。
【００１５】
本発明はそして、上記光学シートを備えてなるバックライトユニットであって、上記光学シートは、突起部が嵌合することで位置決めされているバックライトユニットでもある。本発明は更に、上記光学シートを備えてなるフラットパネル型表示装置であって、上記光学シートは、突起部が嵌合することで位置決めされているフラットパネル型表示装置でもある。このようなバックライトユニットやフラットパネル型表示装置によれば、安価な光学シートを用いて製造することができ、光学シートの位置決めが容易であるとともに、光学シートが所定の位置に強く保持されることから、光学シートの位置ずれによる表示品位の低下等を低減することができる。
【００１６】
上記「突起部が嵌合することで位置決めされている」とは、光学シートの突起部がバックライトユニットやフラットパネル型表示装置の他の構成部材に設けられた位置決め部と嵌合することで、光学シートが位置決めされていることを意味する。位置決め部が設けられる構成部材としては特に限定されず、例えば、筐体、フレーム、導光板等が挙げられる。位置決め部は、１つの構成部材のみに設けられてもよく、複数の構成部材に設けられてもよい。位置決め部の形態としては特に限定されず、例えば、構成部材の外縁に光学シートの突起部と嵌合する凹部が設けられた形態等が挙げられる。このような形態等では、位置決め部（凹部）の一部に光学シート面に対して垂直方向の突起等を設けてもよく、これにより更に光学シートの位置保持能力を高めることができる。なお、本発明においては、光学シートの突起部の形状を鉤形状にすることにより、シート面に対して平行方向の位置保持強度を向上させているが、垂直方向の位置保持強度も高いことが好ましく、光学シートのシート面に対して垂直方向の位置決めが可能であることが好ましい。また、突起部と位置決め部とは、両面テープ、接着剤等により固定することも可能である。
【００１７】
上記液晶表示装置の好ましい形態としては、例えば、バックライト、光学シート、液晶表示パネルをこの順に備えた形態等が挙げられる。このような形態の液晶表示装置によれば、バックライトからの面状出射光は、所定の場所に位置決めされ、かつ強く保持された光学シートに入射して光学特性等の制御が行われ、液晶表示パネルに入射して画素毎に透過光量等を制御された後に、ユーザー側に射出されることによって、良好な表示を行うことができる。
【発明の効果】
【００１８】
本発明の光学シートによれば、鉤形状の突起部を外縁の一部に少なくとも１つ設けた構成であることから、安価に製造することができ、位置決めが容易であるとともに、振動や衝撃等に対して強い位置保持能力を得ることができる。このような本発明の光学シートは、液晶表示装置等のフラットパネル型表示装置や、それに用いられるバックライトユニットの構成部材等として好適に用いることができるものである。
【発明を実施するための最良の形態】
【００１９】
以下に実施例を掲げ、本発明について図面を参照して更に詳細に説明するが、本発明はこれらの実施例のみに限定されるものではない。
【００２０】
（実施例１）
図２は、実施例１に係る本発明の液晶表示装置の構成を示す分解斜視図である。
実施例１に係る本発明の液晶表示装置は、図２に示すように、直下型バックライトを搭載しており、バックライトユニット１００と液晶表示パネルユニット２００とから構成される。バックライトユニット１００は、高反射性樹脂板１、及び、その上部に端部等を絶縁性樹脂で被覆された線形状蛍光管２が配置されてなるバックライト１１と、拡散板１２と、拡散シート、プリズムシート、偏光選択性反射透過シート、電磁波遮蔽シート（導電シート、ＩＴＯシート）等の各種光学シート１３とが板金（筐体）１０に収納されてなり、液晶表示パネルユニット２００は、液晶表示パネル２１とフレーム２２とから構成されてなる。光学シート１３の対向する側辺には、それぞれＴ字形状の突起部１４が並設されている。板金１０の外縁にはＴ字形状の凹部１５が設けられ、各種光学シート１３の突起部１４と板金１０の凹部１５とは、嵌合するように形成されている。実施例１に係る本発明の液晶表示装置の構成によれば、突起部１４が凹部１５と嵌合することで、光学シート１３がシート面方向で位置決めされているので、振動や衝撃等による光学シートの位置ずれに起因する表示品位の低下を低減することができる。また、この構成によれば、光学シート１３の突起部１４に、位置決め用の穴や、シート面垂直方向の突起等を設ける必要がないため、コストを削減することができる。
【００２１】
（実施例２）
図３は、実施例２に係る本発明の液晶表示装置の構成を示す分解斜視図である。実施例２に係る本発明の液晶表示装置は、図３に示すように、サイドライト型バックライトを搭載しており、バックライトユニット１００と液晶表示パネルユニット２００とから構成される。バックライトユニット１００は、線形状蛍光管２やリフレクター４を端部に配置した導光板３及び高反射性樹脂板１とからなるバックライト１１と、拡散板１２と、拡散シート、プリズムシート、偏光選択性反射透過シート、電磁波遮蔽シート等の各種光学シート１３とが板金１０に収納されてなり、液晶表示パネルユニット２００は、液晶表示パネル２１とフレーム２２とから構成されてなる。各種光学シート１３の一側辺には、Ｔ字形状の突起部１４が並設されている。板金１０の外縁には凹部１５が設けられ、各種光学シート１３の突起部１４と板金１０の凹部１５とは、嵌合するように形成されている。従って、本実施例においても、実施例１と同様な作用効果を得ることができる。
【図面の簡単な説明】
【００２２】
【図１】本発明の光学シートの鉤形状に構成された突起部周辺を示す平面模式図である。
【図２】実施例１に係る本発明の液晶表示装置の構成を示す分解斜視図である。
【図３】実施例２に係る本発明の液晶表示装置の構成を示す分解斜視図である。
【図４】従来の液晶表示装置に搭載される光学シートの突起部周辺を示す平面模式図である。
【符号の説明】
【００２３】
１    ：高反射性樹脂板
２    ：線形状蛍光管
３    ：導光板
４    ：リフレクター
１０  ：板金（筐体）
１１  ：バックライト
１２  ：拡散板
１３  ：光学シート
１４  ：突起部（凸部）
１５  ：凹部
１６  ：位置決め穴
２１  ：液晶表示パネル
２２  ：フレーム
１００：バックライトユニット
２００：液晶表示パネルユニット
【図１】
2006004751.tif 000003
【図２】
2006004751.tif 000004
【図３】
2006004751.tif 000005
【図４】
2006004751.tif 000006